(57)【要約】【課題】積み重ねられた複数の記録媒体から、表面の画像の損傷を抑えて確実に１枚ずつ記録媒体を取り出すことができる画像読取装置を提供することを目的とする。【解決手段】上部が開口した箱の内部に複数枚の記録媒体が積み重ねられて収納され、その箱の開口の上方に記録媒体の大きさよりも狭い通過枠を有する収納部と、収納部に収納された記録媒体を吸着させて、通過枠を通って外部に搬送する搬送機構と、記録媒体上の画像を読み取って画像データを生成する画像読取部とを備える。【選択図】        図３
2005239398.tif 000002
【特許請求の範囲】
【請求項１】
表面に画像が記録されている複数枚の記録媒体が積み重ねられて内部に収納される、上方が開口した本体と、該本体の開口の上方に設けられた、前記記録媒体の大きさよりも狭く開口して該記録媒体を通す通過枠とを有する収納部、
前記記録媒体を吸着する吸着器と、該吸着器を前記収納部に通過枠から挿入して該吸着器を該収納部内の記録媒体に吸着させ、該吸着器が吸着した記録媒体ごと該吸着器を該収納部から該通過枠を通して抜き出す抜き出し機構と、該抜き出し機構によって抜き出された記録媒体を搬送する搬送機構とを有する媒体搬送部、および
前記搬送部によって前記収納部から搬送されてくる記録媒体に記録されている画像を読み取って、該画像を表わす画像データを生成する画像読取部を備えたことを特徴とする画像読取装置。
【請求項２】
前記収納部の通過枠が、上方へ向かうほど間隔が狭まるように傾斜した内壁を有するものであることを特徴とする請求項１記載の画像読取装置。
【請求項３】
前記収納部が、前記本体内に積み重ねられている記録媒体を下方から前記通過枠へと押し上げる押し上げ器を備えたものであり、
前記収納部の通過枠が、前記押し上げ器によって記録媒体が押し上げられたときに前記内壁の間隔を狭めて該記録媒体を上に凸に撓ませるものであることを特徴とする請求項２記載の画像読取装置。
【請求項４】
前記収納部の通過枠が、前記内壁に、前記記録媒体が撓むときの応力で該記録媒体が滑り落ちることを防止する加工を施されたものであることを特徴とする請求項３記載の画像読取装置。
【請求項５】
前記媒体搬送部の抜き出し機構が、前記収納部の通過枠によって前記記録媒体が上に凸に撓まされたときに該記録媒体の凸状の部分に前記吸着器を吸着させるものであることを特徴とする請求項３記載の画像読取装置。
【発明の詳細な説明】
【技術分野】
【０００１】
本発明は、原稿画像を読み取って、原稿画像を表わす画像データを生成する画像読取装置に関する。
【背景技術】
【０００２】
近年、デジタルカメラの普及に伴って、撮影画像をデジタル化して扱うことが広範に行われている。撮影画像をデジタル化することによって、撮影画像をプリント出力するラボ側では、デジタル化された撮影画像（撮影画像データ）にパーソナルコンピュータ等を使って画像処理を施し、撮影画像の不具合を修正するなどといった付加サービスを提供することができる。また、ユーザ側においては、汎用のアルバムソフト等を使用することによって、パーソナルコンピュータ上で複数枚の撮影画像を容易に整理することができるうえ、それら複数枚の撮影画像をまとめてハードディスク等に記録しておくことによって、保管の際にかさ張らず、撮影画像を高画質なままで保管することができるなどという利点がある。
【０００３】
ところで、各家庭では、アルバムへの整理が煩雑な写真は、ラボから受け取った状態のまま死蔵されているケースも多く見られる。また、死蔵されている写真の中には、フィルムが紛失してしまって焼き増しができないものや、変色して画像が劣化してしまっているもある。撮影画像をデジタル化する利点が広く認められるのに伴い、近年では、このように死蔵されてしまいがちな写真の撮影画像も、デジタル化して画質を維持したり、パソコン上で管理したいなどという要望が高まっている。
【０００４】
上記の要望は、写真の撮影画像をスキャナ等で読み取って、撮影画像をデジタル化することによって解決することができる。この画像読取サービスをラボ側で行う場合、従来のフラットベットスキャナのように、画像読取位置に原稿を１枚ずつ手動でセットする方式の画像読取装置では手間と時間がかかってしまうため、複数枚の写真を集積しておき、集積した中から写真を１枚ずつ取り出して画像読取位置にセットする搬送手段を備えた画像読取装置を使用することが考えられる。このような画像読取装置を使用することによって、写真上の撮影画像を読み取って撮影画像データを生成するまでの一連の処理時間と手間を軽減させることができる。
【０００５】
ここで、多数集積された写真の中から１枚の写真を取り出す場合、静電気などによって１枚目の写真に２枚目以降の写真がくっついてしまい、複数枚まとめて取り出されてしまうことがある。この不具合を解消する方法として、特許文献１には、ゴムローラを使って原稿を捌く方法、特許文献２には、原稿を搬送する方向にエアーを吹き付けて１枚目の原稿をずらし、その原稿の角を吸着することによって１枚目の原稿のみを取り出す方法について記載されている。
【特許文献１】特開２０００−３０９４３９号公報
【特許文献２】特開平６−２７１１０６号公報
【発明の開示】
【発明が解決しようとする課題】
【０００６】
しかし、特許文献１に記載されている方法を適用する場合、ゴムローラで写真の表面が磨耗されてしまうため、写真の乳剤面に傷が付いてしまうという問題がある。また、特許文献２に記載されている方法を適用する場合、写真の角を吸着することによって１枚目の写真のみ取り出すことができるが、写真の中心以外の場所を吸着すると、大きさが異なる写真が混在している場合には、画像読取位置へのセットなどといった後工程での位置合わせが困難になってしまうという問題がある。また、写真だけでなくポストカード等の画像もデジタル化したいという要望があるが、ポストカードは僅かながらエアーを通すため、１枚目のポストカードの角を吸着しても、２枚目以降のポストカードもいっしょに付着してしまう恐れがある。
【０００７】
本発明は、上記事情に鑑み、積み重ねられた複数の記録媒体から、表面の画像の損傷を抑えて確実に１枚ずつ記録媒体を取り出すことができる画像読取装置を提供することを目的とする。
【課題を解決するための手段】
【０００８】
上記目的を達成する本発明の画像読取装置は、表面に画像が記録されている複数枚の記録媒体が積み重ねられて内部に収納される、上方が開口した本体と、本体の開口の上方に設けられた、記録媒体の大きさよりも狭く開口して記録媒体を通す通過枠とを有する収納部、
記録媒体を吸着する吸着器と、吸着器を収納部に通過枠から挿入して吸着器を収納部内の記録媒体に吸着させ、吸着器が吸着した記録媒体ごと吸着器を収納部から通過枠を通して抜き出す抜き出し機構と、抜き出し機構によって抜き出された記録媒体を搬送する搬送機構とを有する媒体搬送部、および
搬送部によって収納部から搬送されてくる記録媒体に記録されている画像を読み取って、画像を表わす画像データを生成する画像読取部を備えたことを特徴とする。
【０００９】
本発明の画像読取装置における吸着器は、収納部に収納された記録媒体を吸着するとともに、記録媒体を吸着したまま、狭く開口した通過枠を通して収納部から抜き出される。例えば、吸着器が記録媒体を吸着する際に２枚以上の記録媒体がくっついてしまった場合であっても、通過枠を通過する際に記録媒体が撓んで、吸着器が吸着している１枚目の記録媒体以外の記録媒体は分離される。したがって、本発明の画像読取装置によると、記録媒体の表面の磨耗を抑えて、確実に１枚ずつ記録媒体を搬送することができる。
【００１０】
また、本発明の画像読取装置において、上記収納部の通過枠が、上方へ向かうほど間隔が狭まるように傾斜した内壁を有するものであることが好ましい。
【００１１】
徐々に間隔が狭まっていく内壁に沿って通過枠を通過することによって、記録媒体がいっそう撓みやすくなり、余分にくっついてしまった記録媒体を分離させやすくなる。また、内壁は記録媒体を横から押圧するため、記録媒体の表面の画像を損傷することが回避される。
【００１２】
また、本発明の画像読取装置において、上記収納部が、本体内に積み重ねられている記録媒体を下方から前記通過枠へと押し上げる押し上げ器を備えたものであり、
収納部の通過枠が、押し上げ器によって記録媒体が押し上げられたときに内壁の間隔を狭めて該記録媒体を上に凸に撓ませるものであることが好ましい。
【００１３】
記録媒体が押し上げられたときに内壁の間隔を狭めて記録媒体を撓ませることによって、エアーを通してしまうポストカードなどを搬送する場合であっても、余分にくっついてしまった記録媒体を確実に分離させることができる。
【００１４】
また、本発明の画像読取装置において、上記収納部の通過枠が、内壁に、記録媒体が撓むときの応力で該記録媒体が滑り落ちることを防止する加工を施されたものであることが好適である。
【００１５】
この好適な画像読取装置によると、内壁の間隔を狭めて記録媒体を撓ませる際に記録媒体が滑り落ちず、効率的に記録媒体を撓ませることができる。
【００１６】
また、本発明の画像読取装置において、媒体搬送部の抜き出し機構が、収納部の通過枠によって記録媒体が上に凸に撓まされたときに記録媒体の凸状の部分に吸着器を吸着させるものであることが好ましい。
【００１７】
記録媒体は、収納部の通過枠を通過する際に中央部分が凸状に撓まされる。この凸状に撓まされた中央部分を吸着してから記録媒体を搬送することによって、異なるサイズの記録媒体を処理する場合であっても、中央基準で搬送することができ、後工程で位置合わせをしなくても、画像読取部の光軸中心に記録媒体を配置することができ、精度良く画像を読み取ることができる。
【発明の効果】
【００１８】
本発明によれば、積み重ねられた複数の記録媒体から、表面の画像の損傷を抑えて確実に１枚ずつ記録媒体を取り出すことができる画像読取装置を提供することができる。
【発明を実施するための最良の形態】
【００１９】
以下、本発明の実施形態について説明する。
【００２０】
図１は、本発明の一実施形態が適用された画像読取装置の外観構成図である。
【００２１】
この画像読取装置１は、写真やポストカードなどといったシート状の記録媒体上に記録された画像を読み取って、その画像を表わす画像データを生成する装置であり、未スキャン媒体収納箱１０と、吸着装置２０と、表面読取装置３０と、裏面読取装置４０と、スキャン済媒体収納箱５０と、搬送装置６０と、それら各種要素を制御する制御部（図示しない）とを備えている。また、画像読取装置１には、生成された画像データに画像処理等を施す本体装置１０１と、画像データが表わす画像を表示するとともに、制御部に各種指示を与える操作子が設けられたモニタ１０２とで構成されたパーソナルコンピュータが接続されている。
【００２２】
まずは、画像読取装置１を構成する各種要素について説明する。
【００２３】
図１に示す搬送装置６０は、未スキャン媒体収納箱１０と吸着装置２０と裏面読取装置４０とスキャン済媒体収納箱５０の上を通って延びるガイドレール６１と、記録媒体を吸着して、未スキャン媒体収納箱１０と吸着装置２０との間、吸着装置２０と裏面読取装置４０の間、および裏面読取装置４０とスキャン済み媒体収納箱５０との間をそれぞれ移動する３つの搬送部６２を備えており、さらに、それら３つの搬送部６２は、記録媒体を吸着する吸着パット６２ａと、吸着パット６２ａを保持する伸縮自在な保持棒６２ｂをそれぞれ備えている。保持棒６２ｂが伸びることによって吸着パット６２ａが記録媒体上に移動されると、吸着パット６２ａは記録媒体を吸着する。続いて、保持棒６２ｂが吸着パット６２ａを保持したまま元の長さに縮むとともに、ガイドレール６１に沿って移動することによって、記録媒体が搬送される。この吸着パット６２ａは、本発明にいう吸着器の一例にあたり、保持棒６２ｂは、本発明にいう抜き出し機構の一例にあたり、ガイドレール６１や図示しないモータ等を合わせたものは、本発明にいう搬送機構の一例に相当する。また、搬送装置６０は、本発明の画像読取装置における媒体搬送部の一例に相当する。
【００２４】
未スキャン媒体収納箱１０は、上部が開口した箱形状を有しており、画像が読み取られる前の記録媒体が、表面を上にして積み重ねられて収納されている。この未スキャン媒体収容箱１０は、本発明の画像読取装置における収納部の一例に相当する。未スキャン媒体収納箱１０の構成については、後で詳しく説明する。
【００２５】
未スキャン媒体収納箱１０内に収納された記録媒体は、搬送部６２によって１枚ずつ取り出されて、吸着装置２０に搬送される。
【００２６】
吸着装置２０には、表面と裏面とを貫通する複数の貫通孔２３が穿たれた吸着板２１と、吸着板２１の裏側に設けられたファン２２とが備えられている。未スキャン媒体収納箱１０から搬送されてきた記録媒体は吸着板２１上に配置され、ファン２２が貫通孔２３を介して空気を裏側から吸引することによって、その記録媒体が吸着板２１上に吸着される。また、この吸着装置２０は、未スキャン媒体収納箱１０から搬送されてくる記録媒体を受け取る受取位置と、受け取った記録媒体上の画像が表面読取装置３０によって読み取られる読取位置との間をレール３１に沿って移動する。記録媒体が吸着板２１上に吸着されると、吸着装置２０は、搬送レール３１に沿って表面読取装置３０の下の読取位置に移動する。
【００２７】
表面読取装置３０は、表面撮像部３２と、蛍光灯３３と、フレア防止板３４とを備えている。フレア防止板３４は、吸着装置２０上で記録媒体が配置される位置に相応する部分のみくり抜かれており、記録媒体からの反射光以外の光を遮る。吸着装置２０が読取位置に移動してくると、吸着装置２０に向けて蛍光灯３３によって白色光が照射され、吸着装置２０に吸着された記録媒体の表面で反射された光が表面撮像部３２によって読み取られて、記録媒体の表面上に記録された表面画像を表わす表面画像データが生成される。尚、記録媒体の表面には、通常は、撮影画像などといったカラー画像が記録されており、表面画像に関しては、高速な読み取りよりも高画質な読み取りが求められる。この例では、表面撮像部３２には、レンズと、単版のエリアＣＣＤと、ＲＧＢ３色のカラーフィルタと、それら３色のカラーフィルタを切り替えるターレットとが備えられており、ターレットによってフィルタを切り替えながら、ＲＧＢ各色ごとに画像の読み取りが行われる。表面読取装置を構成する要素としては、例えば、蛍光灯３３の替わりにＬＥＤを用いたり、単版のエリアＣＣＤと３色のカラーフィルタとターレットとの替わりに、３色の画像を一度で読み取ることができるカラーのエリアＣＣＤ等を用いるものであってもよい。この表面読取装置３０は、本発明の画像読取装置における画像読取部の一例にあたる。生成された表面画像データは、制御部（図示しない）を経由してパーソナルコンピュータの本体部１０１に送られる。表面画像が読み取られると、吸着装置２０はレール３１に沿って受取位置に移動し、吸着装置２０上の記録媒体は、搬送部６２によって吸着されて裏面読取部４０に搬送される。
【００２８】
裏面読取部４０には、記録媒体が配置される部分が透明なガラスで構成された配置台４１と、配置台４１の裏側に設けられた裏面用撮像部４２とが備えられている。この例では、表面用撮像部３２と同様の構成を有する裏面用撮像部４２が適用されている。搬送部６２によって搬送されてきた記録媒体が、搬送部６２によって配置台４１に押し付けられると、記録媒体の裏面に記録された裏面画像が裏面用撮像部４２によって読み取られる。ここで、記録媒体の裏面には、例えば、記録媒体の印刷紙種別を表わす記号などといった情報が記録されており、裏面画像に関しては、表面画像ほどの画質は要求されない。したがって、裏面読取部４０の裏面用撮像部４２は、カラーのエリアＣＣＤ等を用いて、ＲＧＢ３色の画像を一度に読み取るものであってもよい。裏面画像が読み取られて生成された裏面画像データは、制御部（図示しない）を経由してパーソナルコンピュータの本体部１０１に送られる。裏面画像が読み取られた記録媒体は、搬送部６２によって吸着されて、スキャン済媒体収納箱５０に搬送される。
【００２９】
スキャン済媒体収納箱５０も、未スキャン媒体収納箱１０と同様に、上部が開口した箱形状を有しており、搬送部６２によって搬送されてきた記録媒体が内部に積み重ねられて集積される。
【００３０】
以上のようにして記録媒体上の画像が読み取られて生成された表面画像データや裏面画像データは、本体部１０１からモニタ１０２に送られて、モニタ１０２で表示される。また、生成された表面画像データは、本体部１０１において所定の画像処理が施されたり、裏面画像データが示す各種情報が付加されて、ＤＶＤなどに記憶される。
【００３１】
画像読取装置１は、基本的には以上のように構成されている。
【００３２】
ここで、画像読取装置１における本発明の画像読取装置としての特徴は、未スキャン媒体収納部１０の構成にあり、以下では、この未スキャン媒体収納部１０について詳しく説明する。
【００３３】
図２は、未スキャン媒体収納部の内部構成図である。
【００３４】
未スキャン媒体収納部１０の内部には、複数の記録媒体２００が積み重ねられて収納されている。また、記録媒体２００が出し入れされる出入口１１は、記録媒体２００の大きさよりも狭く開口している。この未スキャン媒体収納部１０を形成している箱は、本発明にいう本体部の一例にあたり、出入口１１は、本発明にいう通過枠の一例に相当する。未スキャン媒体収納部１０に収納されている記録媒体２００を取り出す際には、まず、搬送部６２の吸着パット６２ａが出入口１１を通って未スキャン媒体収納部１０の内部に入り込む。
【００３５】
図３は、未スキャン媒体収納部から記録媒体を取り出す一連の処理を示す図である。
【００３６】
搬送部６２は、ガイドレール６１に沿って未スキャン媒体収納部１０の上に移動してくる。続いて、保持棒６２ｂが伸びて、吸着パット６２ａが出入口１１から未スキャン媒体収納部１０の内部に挿入され、吸着パット６２ａが記録媒体２００に押し付けられる（図３のステップＳ１）。
【００３７】
続いて、吸着パット６２ａは、複数の記録媒体２００のうち、一番上に積まれた記録媒体２００＿１を吸着する。さらに、保持棒６２ｂが縮むことによって、記録媒体２００＿１を吸着した吸着パット６２ａが出入口１１に向けて移動される（図３のステップＳ２）。
【００３８】
ここで、本来は、一番上に積まれていた記録媒体２００＿１のみを取り出したいが、実際には、静電気などによって、余分な２枚目以降の記録媒体２００＿２等もいっしょにくっついてしまう。
【００３９】
保持棒６２ｂは、吸着パット６２ａに吸着された１枚目の記録媒体２００＿１に２枚目の記録媒体２００＿２がくっついたままの状態でさらに縮み、吸着パット２００ｂを出入口１１から抜き出す（図３のステップＳ３）。このとき、狭い出入口１１を通過することによって、記録媒体２００＿１，２００＿２が撓んで、吸着パット２００ｂに吸着されていない２枚目の記録媒体２００＿２が１枚目の記録媒体２００＿１から分離される。
【００４０】
搬送部６２は、ガイドレール６１に沿って移動することによって、記録媒体２００＿１を吸着装置２０に向けて搬送する（図３のステップＳ４）。
【００４１】
このように、本実施形態の画像読取装置１によると、２枚以上の記録媒体がくっついてしまった場合にも、記録媒体の表面を磨耗してしまうことなく確実に１枚の記録媒体のみを取り出して搬送することができる。
【００４２】
以上で本発明の第１実施形態の説明を終了し、続いて、本発明の第２実施形態の説明を行う。尚、重複を避けるため、以下では、第１実施形態との相違点に注目して説明する。
【００４３】
図４は、本実施形態における未スキャン媒体収納部の内部構成図である。
【００４４】
本実施形態においては、図１に示す未スキャン媒体収納部１０に替えて、図４に示す未スキャン媒体収納部１０´が適用される。本実施形態の未スキャン媒体収納部１０´は、記録媒体２００が格納され、上部が開口した箱１２と、箱１２の内部を向いた面１３＿１が上方ほど間隔が狭まるように傾斜した２つの撓ませ部材１３と、モータ１５によって記録媒体２００を下から押し上げる押し上げ部材１４とを備えている。２つの撓ませ部材１３は、相互に近づく方向（矢印Ａ方向）に移動されることによって、箱１２の出入口１１を狭め、および相互に遠ざかる方向（矢印Ｂ方向）に移動されることによって、箱１２の出入口１１を広げる。尚、未スキャン媒体収納部１０´には、積み重ねられた記録媒体２００の高さを検知するセンサ（図示しない）が備えられており、そのセンサでの検知結果に応じて、撓ませ部材１３および押し上げ部材１４がそれぞれ駆動される。
【００４５】
図５は、撓ませ部材の拡大図である。
【００４６】
撓ませ部材１３は、箱１２の内部を向いた面１３＿１上に、水平方向に延びる複数の溝１３＿２が設けられている。この複数の溝１３＿２は、本発明にいう「滑り落ちることを防止する加工」の一例に相当する。
【００４７】
本実施形態の未スキャン媒体収納部１０´は、以上のように構成されている。以下では、この未スキャン媒体収納部１０´から記録媒体を取り出す一連の処理について説明する。
【００４８】
図６は、本実施形態の未スキャン媒体収納部から記録媒体を取り出す一連の処理を示す図である。
【００４９】
まず、搬送部６２がガイドレール６１に沿って未スキャン媒体収納部１０´の上に移動してくる（図６のステップＳ１１）。
【００５０】
続いて、モータ１５が駆動し、押し上げ部材１４が記録媒体２００を所定の高さまで押し上げる（図６のステップＳ１２）。
【００５１】
記録媒体２００が所定の高さまで押し上げられると、２つの撓ませ部材１３が相互に近づく方向（矢印Ａ方向）に移動され、箱１３の出入口１１が狭められる（図６のステップＳ１３）。このとき、撓ませ部材１３によって、複数の記録媒体２００が横から押圧され、それらがそれぞれバラバラに凸状に撓ませられる。ここで、図５に示す溝１３＿２によって、記録媒体２００が撓ませ部材１３の面１３＿１から滑り落ちることが防止されている。
【００５２】
搬送部６２は、撓ませられた記録媒体２００＿１の凸部２００＿１Ｔに合わせた位置に移動され、吸着パット６２ａは記録媒体２００＿１の、撓ませられた凸部２００＿１Ｔを吸着する（図６のステップＳ１４）。この凸部２００＿１Ｔは記録媒体２００＿１の中央付近であり、吸着パット６２ａは記録媒体２００＿１の中央付近を吸着した状態で、保持部６２ａによって移動される（図６のステップＳ１５）。
【００５３】
このように、狭く開口された出入口１１を通過する過程で記録媒体を分離させるのではなく、記録媒体を横から押圧することによって記録媒体を撓ませてから記録媒体を吸着することによって、より確実に記録媒体を１枚ずつ取り出すことができる。
【００５４】
また、記録媒体の中央付近を吸着して搬送することによって、異なるサイズの記録媒体を処理する場合であっても、中央基準で搬送することができ、後工程で位置合わせをしなくても、画像読取部の光軸中心に記録媒体を配置することができ、精度良く画像を読み取ることができる。
【００５５】
ここで、上記では、２つの撓ませ部材の両方を移動させる例について説明したが、本発明にいう通過枠は、２つの撓ませ部材のうちの一方を固定させ、他方のみ移動させるものであってもよい。
【００５６】
また、上記では、記録媒体を撓ませ部材で撓ませてから吸着パットで吸着する例について説明したが、吸着パットで記録媒体を吸着してから、撓ませ部材で記録媒体を撓ませるものであってもよい。
【００５７】
また、上記では、レール、保持棒、および吸着パット等で構成された媒体搬送部の例について説明したが、本発明にいう媒体搬送部は、例えば、吸着器と抜き出し機構とが一体形成されたアームなどであってもよい。
【００５８】
また、上記では、撓ませ部材に溝を設ける例について説明したが、本発明にいう「滑り落ちることを防止する加工」は、摩擦部材を貼り付けるものであってもよい。
【図面の簡単な説明】
【００５９】
【図１】本発明の一実施形態が適用された画像読取装置の外観構成図である。
【図２】未スキャン媒体収納部の内部構成図である。
【図３】未スキャン媒体収納部から記録媒体を取り出す一連の処理を示す図である。
【図４】本実施形態における未スキャン媒体収納部の内部構成図である。
【図５】撓ませ部材の拡大図である。
【図６】本実施形態の未スキャン媒体収納部から記録媒体を取り出す一連の処理を示す図である。
【符号の説明】
【００６０】
１    画像読取装置
１０，１０´    未スキャン媒体収納箱
１１    出入口
１２    箱
１３    撓ませ部材
１３＿１    面
１３＿２    溝
１４    押し上げ部材
１５    モータ
２０    吸着装置
２１    吸着板
２２    ファン
２３    貫通孔
３０    表面読取装置
３１    レール
３２    表面撮像部
３３    蛍光灯
３４    フレア防止板
４０    裏面読取装置
４１    配置台
４２    裏面用撮像部
５０    スキャン済媒体収納箱
６０    搬送装置
６１    ガイドレール
６２    搬送部
６２    吸着パット
６２ｂ    保持棒
１０１    本体装置
１０２    モニタ
２００    記録媒体
【図１】
2005239398.tif 000003
【図２】
2005239398.tif 000004
【図３】
2005239398.tif 000005
【図４】
2005239398.tif 000006
【図５】
2005239398.tif 000007
【図６】
2005239398.tif 000008